(57)【要約】【課題】電池の交換作業をより容易に行うことのできる調理器を提供する。【解決手段】調理器の一例である炊飯器１００は、本体１１０と蓋体１４０とを備えている。本体１１０は、筐体１１１の内部に電池ユニット１８０を備えている。電池ユニット１８０は、電池基板１８２と、配線１８６を介して電池基板１８２と接続されている電池１８１と、電池１８１を着脱可能に保持する電池保持台（電池保持部）１８５とを有している。【選択図】図６
2020192056.tif 000002
【特許請求の範囲】
【請求項１】
筐体と、
前記筐体の内部に配置されている電池基板と、
配線を介して前記電池基板と接続されている電池と、
前記電池を着脱可能に保持する電池保持部と
を備えている調理器。
【請求項２】
前記筐体は、側面部材と底部材とを有しており、
前記側面部材の高さをＨとすると、前記電池保持部は、前記側面部材の下端からＨ／２の高さよりも下方に配置されている、
請求項１に記載の調理器。
【請求項３】
前記電池保持部は、前記電池を支持する爪部を３つ以上有している、
請求項１または２に記載の調理器。
【請求項４】
前記爪部のうちの第１の爪部は、前記電池の取り出し位置側に配置されており、
前記第１の爪部は、可撓性を有している、
請求項３に記載の調理器。
【請求項５】
前記電池保持部は、前記第１の爪部と対向する位置に、前記配線が通る空隙部を有している、請求項４に記載の調理器。
【発明の詳細な説明】
【技術分野】
【０００１】
本発明は、電池を備えている調理器に関する。
【背景技術】
【０００２】
炊飯器などの調理器の中には、主要電源の供給手段としての電源プラグの他に、マイコン基板などのバックアップ電源として電池を備えているものがある。これにより、電源プラグが商用電源に接続されていない場合や、商用電源の停電が生じた場合などに、バックアップ電源を利用してマイコン基板内の時計機能などを維持することができる。
【０００３】
例えば、特許文献１には、マイコンのバックアップ電源を備えた炊飯器等の調理器が開示されている。この調理器は、機器本体２の下部を構成するボディ１に、マイコンバックアップ用の電池３を収納する収納部５を設け、この収納部５の表面を電池カバー６で覆った構成となっている。これにより、電池カバー６を取り外すだけで電池交換を行うことができるようになっている。
【先行技術文献】
【特許文献】
【０００４】
【特許文献１】特開平７−２８９４２７号公報
【発明の概要】
【発明が解決しようとする課題】
【０００５】
しかしながら、特許文献１に開示されている調理器などのように、ボディ１の下部に電池３を収納する収納部５を設けた構成であっても、電池３は電池基板４と一体的に構成されている。そのため、電池交換を行う際には、電池基板ごと取り外しを行う必要がある。
【０００６】
本発明では、電池の交換作業をより容易に行うことのできる調理器を提供する。
【課題を解決するための手段】
【０００７】
本発明の一局面にかかる調理器は、筐体と、前記筐体の内部に配置されている電池基板と、配線を介して前記電池基板と接続されている電池と、前記電池を着脱可能に保持する電池保持部とを備えている。
【０００８】
上記の構成によれば、電池が配線を介して電池基板と接続されていることで、電池基板から電池を分離することができる。そのため、電池の交換を行う場合には、電池のみを取り外して、新しい電池に付け替えればよい。したがって、本発明の一局面にかかる調理器によれば、電池の交換作業をより容易に行うことができる。
【０００９】
上記の本発明の一局面にかかる調理器において、前記筐体は、側面部材と底部材とを有しており、前記側面部材の高さをＨとすると、電池保持部は、前記側面部材の下端からＨ／２の高さよりも下方に配置されていることが好ましい。
【００１０】
上記の構成によれば、調理器の下方（すなわち、底部材側）から電池保持部へよりアクセスし易くなる。そのため、電池交換を行う作業者は、底部材を取り外すことで容易に電池保持部に保持されている電池に手をとどかせることができるため、より簡単な作業で電池交換を行うことができる。
【００１１】
上記の本発明の一局面にかかる調理器において、前記電池保持部は、前記電池を支持する爪部を３つ以上有していることが好ましい。
【００１２】
上記の構成によれば、電池保持部は電池を安定して保持することができる。
【００１３】
上記の本発明の一局面にかかる調理器において、前記爪部のうちの第１の爪部は、前記電池の取り出し位置側に配置されており、前記第１の爪部は、可撓性を有していることが好ましい。
【００１４】
上記の構成によれば、電池の取り外しまたは電池の取り付けを行う際には、第１の爪部を撓ませることで、容易に電池保持部から電池を取り外したり、電池保持部へ電池を取り付けたりすることができる。
【００１５】
上記の本発明の一局面にかかる調理器において、前記電池保持部は、前記第１の爪部と対向する位置に、前記配線が通る空隙部を有していてもよい。
【発明の効果】
【００１６】
以上のように、本発明の一局面にかかる調理器によれば、電池の交換作業をより容易に行うことができる。
【図面の簡単な説明】
【００１７】
【図１】本発明の一実施形態にかかる炊飯器の外観構成を示す正面図である。
【図２】図１に示す炊飯器の内部構成を示す断面図である。
【図３】図１に示す炊飯器から底壁を取り外した状態での底部分の構成を示す平面図である。
【図４】本発明の一実施形態にかかる炊飯器の内部構成を示す下方斜視図である。
【図５】図４に示す炊飯器から電池を取り外した状態を示す下方斜視図である。
【図６】本発明の一実施形態にかかる炊飯器に備えられた電池ユニットの構成を示す平面図である。
【図７】図６に示す電池ユニットから電池を取り外した状態を示す平面図である。
【発明を実施するための形態】
【００１８】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１９】
本実施形態では、本発明の調理器の一例である誘導加熱式の圧力炊飯器１００（以下、炊飯器１００と称する）を例に挙げて説明する。但し、本発明にかかる調理器は、炊飯器に限定されることはなく、マイクロコンピュータなどのバックアップ電源などとして電池を備えている他の調理器（例えば、湯沸かし器など）にも適用することができる。
【００２０】
（炊飯器の全体構成）
まず、本実施の形態にかかる炊飯器１００の全体構成について説明する。図１には、炊飯器１００の外観を示す。炊飯器１００は、主として、本体１１０と、蓋体１４０とで構成されている。蓋体１４０は、本体１１０の上方の開口部を開閉可能な状態で覆っている。
【００２１】
図２には、炊飯器１００の内部構成を示す。図３には、図２に示す炊飯器１００の底部周辺の内部構成を示す。
【００２２】
１．本体
本体１１０は、主として、筐体１１１、内鍋１３０、ヒンジ機構（ヒンジ部）１５０、取っ手１１２、断熱材（図示せず）、誘導加熱コイル１１３、フェライトコア組立体１２１、サーミスタ１１４、送風ファン１１５、ヒートシンク１１６、操作パネル１１７、電源回路基板１１８、制御回路基板１１９、電源コードユニット１２０、および電池ユニット１８０などを備えている。以下、これらの構成要素について詳述する。
【００２３】
（１）筐体
筐体１１１は、本体１１０の外形を主に構成している。筐体１１１は、主な構成部材として、側壁（側面部材）１１１ａ、底壁（底部材）１１１ｂ、および枠部材１７０（肩部材１１１ｃ、保護枠１１１ｄ、および基板支持部材１１１ｅ）を有している。
【００２４】
側壁１１１ａは、平面視において略長方形を呈する囲い壁であって、図１に示されるように本体１１０の側面を構成している。また、この側壁１１１ａには、取っ手１１２が回動自在に取り付けられる。
【００２５】
底壁１１１ｂは、略方形の板状体であって、図１に示されるように側壁１１１ａの下側に嵌め込まれており、側壁１１１ａの下側の開口を覆っている。底壁１１１ｂには、図２に示されるように、筐体１１１の外部の空気を内部に吸い込むための吸気口Ｏｓ、および、筐体１１１の内部の空気を外部に排出するための排気口（図示せず）が形成されている。吸気口Ｏｓは、本体１１０の前方側（操作パネル１１７が配置されている側）に位置している。吸気口Ｏｓの直上には、送風ファン１１５が配設されている。この送風ファン１１５が駆動されると、吸気口Ｏｓを通って外部の空気が筐体１１１の内部に吸い込まれ、それによって生じる空気流れにより内部の加熱空気が排気口から系外に排出される。
【００２６】
筐体１１１には、上方の開口部から枠部材１７０が嵌め込まれる。枠部材１７０は、主な構成部材として、肩部材１１１ｃ、保護枠１１１ｄ、および基板支持部材１１１ｅを有している。筐体１１１と枠部材１７０とで形成される構造体の内部には、断熱材（図示せず）、誘導加熱コイル１１３、フェライトコア組立体１２１、送風ファン１１５、ヒートシンク１１６、電源回路基板１１８、制御回路基板１１９、電源コードユニット１２０、および電池ユニット１８０などが収容される。
【００２７】
肩部材１１１ｃは、略方形状の枠体であって、側壁１１１ａの上側に嵌合されており、側壁１１１ａの上側の開口の縁部を覆っている。この肩部材１１１ｃの下側には、保護枠１１１ｄが取り付けられている。肩部材１１１ｃの前方上側には操作パネル１１７が配設される。
【００２８】
保護枠１１１ｄは、内鍋１３０の外周を保護すると共に肩部材１１１ｃの形状を保持する役目を担う部材であって、ポリエチレンテレフタレート（ＰＥＴ）樹脂等の形状を保ちやすい材質から形成されている。保護枠１１１ｄは、主に、内鍋収容部ＰＡ、およびフランジ部ＦＰで形成されている。内鍋収容部ＰＡは、内鍋１３０の外周を覆う椀状の部位である。フランジ部ＦＰは、肩部材１１１ｃの下側に位置し、肩部材１１１ｃの形状に沿うように形成されている。
【００２９】
基板支持部材１１１ｅは、制御回路基板１１９を支持する共に肩部材１１１ｃの前側の部位の形状を保持する役目を担う部材であって、ポリエチレンテレフタレート（ＰＥＴ）樹脂等の形状を保ちやすい材質から形成されている。
【００３０】
（２）内鍋
内鍋１３０は、上方に開口する椀状の鍋であって、肩部材１１１ｃの開口に挿通されると共に、保護枠１１１ｄの内鍋収容部ＰＡに所定の隙間をもって収容される。内鍋１３０は、種々のアルミニウム合金およびステンレス合金の多層体（クラッド材）で形成される。内鍋１３０は、誘導加熱コイル１１３によって誘導加熱され得る。
【００３１】
（３）ヒンジ機構
ヒンジ機構１５０は、蓋体１４０が本体１１０に対して回動自在となるように蓋体１４０を本体１１０に取り付けている。このヒンジ機構１５０は、蓋体１４０を開方向に向かって付勢している。ヒンジ機構１５０は、本体１１０の背面側の上方に配置されている。
【００３２】
（４）取っ手
取っ手１１２は、使用者が炊飯器１００を手で持ち運ぶために設けられている部材である。取っ手１１２は、両側の端部に軸部１１２ｂを有している。
【００３３】
（５）断熱材
断熱材は、保護枠１１１ｄの内鍋収容部ＰＡの側壁および誘導加熱コイル１１３の外周に巻き付けられており、炊飯時において内鍋１３０から生じる熱が内鍋収容部ＰＡの外側に流出するのを抑制する役割を担っている。
【００３４】
（６）誘導加熱コイル
誘導加熱コイル１１３は、内鍋１３０を誘導加熱する誘導加熱源であって、保護枠１１１ｄの内鍋収容部ＰＡの底壁部および側壁下端部の外側に配設されている。
【００３５】
（７）フェライトコア組立体
フェライトコア組立体１２１は、誘導加熱コイル１１３の周囲に配設されている。フェライトコアは、通電時に誘導加熱コイル１１３から発生する電磁波が外部に漏れ出るのを抑制する役目を担っている。
【００３６】
（８）サーミスタ
サーミスタ１１４は、温度センサであって、図２に示されるように、保護枠１１１ｄの内鍋収容部ＰＡの底壁部の中央部に形成された開口を通って、上方に向かって突出している。サーミスタ１１４は、内鍋検知センサ（図示せず）に組み込まれている。内鍋検知センサは、炊飯器内に内鍋１３０が存在するか否かを判断するためのものであって、サーミスタ１１４が下端位置まで下がると、検知信号を制御回路基板１１９のマイクロコンピュータに送信する。マイクロコンピュータは、検知信号を受信すると、炊飯器内に内鍋１３０が存在すると判断する。なお、マイクロコンピュータが、炊飯器内に内鍋１３０が存在しないと判断した場合、炊飯運転が開始されない。サーミスタ１１４は、図２に示されるように略円盤状のカバー部材１２７によって支持されている。このカバー部材１２７は、保護枠１１１ｄの内鍋収容部ＰＡの底壁にネジ止めされている。
【００３７】
（９）送風ファン
送風ファン１１５は、上述の通り、筐体１１１の底壁１１１ｂに形成される吸気口Ｏｓの直上に配設されている（図２参照）。送風ファン１１５が駆動されると、外部の空気が吸気口Ｏｓから吸い込まれて筐体１１１内に流入し、そのまま上方に向かって送られる。上方に向かって送られた外部の空気は、ヒートシンク１１６を通って電源回路基板１１８および制御回路基板１１９などに供給されて、それらの部材等を冷却する。
【００３８】
（１０）ヒートシンク
ヒートシンク１１６は、外部の空気と効率よく熱交換を行わせる部品である。
【００３９】
（１１）操作パネル
操作パネル１１７は、炊飯器１００の運転方法を決定して実行するためのものである。図１に示されるように、操作パネル１１７は、主に、パネル本体１１７ａおよび押圧ボタンＢＴ等から構成されている。上述したように、操作パネル１１７は、肩部材１１１ｃの前方上側に配設されている。
【００４０】
（１２）電源回路基板
電源回路基板１１８は、電源回路を構成する基板であって、いくつかの発熱部品を実装している。電源回路基板１１８は、筐体１１１内の前側空間ＳＰｆに収容されている（図２参照）。
【００４１】
（１３）制御回路基板
制御回路基板１１９は、制御回路を構成する基板であって、マイクロコンピュータ等の電子部品を実装している。制御回路基板１１９は、筐体１１１の前側空間ＳＰｆにおいて、ヒートシンク１１６の上方に配置されている（図２参照）。制御回路基板１１９は、操作パネル１１７の下側に配設される基板支持部材１１１ｅに支持されている。
【００４２】
（１４）電源コードユニット
電源コードユニット１２０は、コードリール１３１を有している。電源コードユニット１２０は、筐体１１１の後側の空間に収容されている。コードリール１３１は、電源コードおよび自動巻取機構などを有している。電源コードは、電源プラグＯＰおよび電気線から構成されている。電源プラグＯＰは、電気線の先端に配設されている。電気線は、伸展自在に自動巻取機構に巻回されている。
【００４３】
（１５）電池ユニット
電池ユニット１８０は、制御回路基板１１９のバックアップ電源としての電池１８１を有している。これにより、制御回路基板１１９内のマイクロコンピュータなどは、電池ユニット１８０から供給される電源を利用して動作することができる。したがって、電源プラグＯＰが商用電源に接続されていない場合や、商用電源の停電が生じた場合などに、マイクロコンピュータ内の時計機能およびメモリ内の情報などを維持することができる。
【００４４】
電池ユニット１８０は、筐体１１１内の前側空間ＳＰｆに収容されている（図３参照）。なお、別の実施形態では、電池ユニット１８０は、筐体１１１内の後側空間に収容されていてもよい。なお、この場合においても、電池交換時の作業のし易さを考慮して、電池ユニット１８０は、本体１１０の下方に配置されていることが好ましい。
【００４５】
電池ユニット１８０の詳細な構成については後述する。
【００４６】
２．蓋体
蓋体１４０は、主な構成部材として、外装体１４１、開閉ボタン１４２、圧力調整機構（図示せず）、および内蓋１４５などを備えている。蓋体１４０は、ヒンジ機構１５０を介して本体１１０に回動自在に取り付けられている。
【００４７】
外装体１４１は、開閉ボタン１４２、圧力調整機構などを収容している。開閉ボタン１４２は、図１に示されるように、上面が外装体１４１の上側に露出するように外装体１４１に配設されている。なお、外装体１４１は、使用時の内圧に耐えることができるように補強部材によって補強されていてもよい。外装体１４１の下面には、着脱自在に内蓋１４５が配設されている。
【００４８】
開閉ボタン１４２は、蓋体１４０を開閉するための角丸長方形状のボタンである。開閉ボタン１４２の下方には、開閉ボタンの押圧動作をヒンジ機構１５０に伝達するレバー部材が配設されている。
【００４９】
圧力調整機構は、蓋体１４０が閉状態とされ圧力炊飯運転されている状態において、内鍋１３０の内部の圧力を１．０３〜１．３気圧に調整する。また、この圧力調整機構は、圧力炊飯運転中、蓋体１４０を開状態としないようにレバー部材の動作を規制する。なお、本実施の形態において、この圧力調整機構としては、特に限定されず、従前のものが採用されてもかまわない。
【００５０】
内蓋１４５は、図２に示されるように内鍋１３０の上部を覆って密閉するための部材である。
【００５１】
（電池ユニットの構成について）
続いて、電池ユニット１８０の詳細な構成について説明する。図４には、炊飯器１００の本体１１０から側壁１１１ａおよび底壁１１１ｂを取り外した状態での本体１１０内の下方部分の構成を示す。また、図５には、図４に示す本体１１０から電池１８１を取り外した状態の本体１１０内の下方部分の構成を示す。さらに、図６には、電池ユニット１８０部分を拡大して示し、図７には、図６に示す電池ユニット１８０から電池１８１を取り外した状態を示す。なお、図６および図７では、炊飯器１００の下方（すなわち、底壁１１１ｂ側）を上に向けた状態での電池ユニット１８０の構成を示している。
【００５２】
電池ユニット１８０は、主に、電池１８１、電池基板１８２、および電池保持台（電池保持部）１８５などで構成されている。
【００５３】
電池１８１は、バックアップ電源としての役割を果たす。本実施形態では、電池１８１は略円盤形状を有している。電池１８１は、電池保持台１８５に着脱可能な状態で保持されている。電池１８１には、配線１８６が接続されている（図６参照）。配線１８６の端部は、コネクタなどを介して電池基板１８２と接続されている。電池交換時には、配線１８６の端部は電池基板１８２のコネクタから取り外される。
【００５４】
電池基板１８２は、配線１８６を介して電池１８１と接続されている。これにより、電池１８１から供給された電源は、先ず電池基板１８２に送電され、その後、電池基板１８２と配線１８７などを介して接続されている他の部品（例えば、制御回路基板１１９）へ供給される。電池基板１８２は、電池１８１からやや離間した位置に配置されている。図７に示す例では、電池基板１８２は、電池保持台１８５の端部（炊飯器１００を通常の状態に載置した状態で電池保持台１８５の下端部）に配置されている。
【００５５】
電池保持台１８５は、略平板状の部材である。電池保持台１８５は、保護枠１１１ｄのフランジ部ＦＰの下方、かつ、送風ファン１１５およびヒートシンク１１６に隣接する位置に配置されている（図５参照）。
【００５６】
電池保持台１８５の平坦面上には、３つの爪部１８３ａ・１８３ｂ・１８３ｃが、平坦面から突出するように形成されている。これらの爪部１８３ａ・１８３ｂ・１８３ｃによって、電池１８１は電池保持台１８５に支持される。爪部の個数は限定されないが、電池１８１を安定して保持するためには、３つ以上の爪部が設けられていることが好ましい。
【００５７】
また、本実施形態のように、電池の取り出し位置側（具体的には、炊飯器１００を通常の状態に載置した状態で本体１１０の下方側）に１つの爪部（例えば、第１の爪部１８３ａ）を配置し、電池の取り出し位置と対向する側（具体的には、炊飯器１００を通常の状態に載置した状態で第１の爪部１８３ａの上方側）に２つの爪部（例えば、第２の爪部１８３ｂおよび第３の爪部１８３ｃ）を配置するのがより好ましい。これにより、電池保持台１８５からの電池１８１の脱着作業がより行い易くなる。図６には、電池１８１が取り出される方向を矢印で示している。図６では、電池保持台１８５の上側が、電池の取り出し位置側となる。なお、炊飯器１００を通常の使用時の状態で載置したときには、電池の取り出し位置側は、炊飯器１００の下方に位置する。
【００５８】
第１の爪部１８３ａは、例えば、柔軟性を有する樹脂材料（例えば、ＰＰなど）などのように可撓性を有する材料で形成されていることが好ましい。これにより、電池ユニット１８０から電池１８１の取り外しを行う際には、第１の爪部１８３ａを電池設置部の外側に撓ませることで、容易に電池１８１を取り外すことができる。同様に、電池ユニット１８０に電池１８１を取り付ける際には、第１の爪部１８３ａを電池設置部の外側に撓ませた状態で、第２の爪部１８３ｂおよび第３の爪部１８３ｃの適切な位置に電池１８１を差し込むことで、容易に電池１８１を取り付けることができる。
【００５９】
第２の爪部１８３ｂおよび第３の爪部１８３ｃは、電池１８１を間に挟んで第１の爪部１８３ａと対向する位置に配置されている（図６参照）。第２の爪部１８３ｂおよび第３の爪部１８３ｃは、互いに第１の爪部１８３ａからほぼ同じ距離だけ離れた位置に形成されている。第１の爪部１８３ａ、第２の爪部１８３ｂ、および第３の爪部１８３ｃは、同一の材料で（例えば、電池保持台１８５と同一の材料で電池保持台１８５と一体的に）形成することができる。そして、第１の爪部１８３ａを薄い板状に加工することで、第１の爪部１８３ａに可撓性を付与することができる。
【００６０】
本実施形態では、第２の爪部１８３ｂと第３の爪部１８３ｃとは、所定の距離だけ離れた状態で配置されている。すなわち、第２の爪部１８３ｂと第３の爪部１８３ｃとの間には、空隙部１８４が形成されている（図７参照）。この空隙部１８４には、電池１８１と電池基板１８２とをつなぐ配線１８６が通っている（図６参照）。
【００６１】
なお、電池保持台１８５には、第２の爪部１８３ｂと第３の爪部１８３ｃの近傍であって、配線１８６が通る位置に開口部１８５ａが形成されていてもよい。電池保持台１８５に開口部１８５ａが形成されていることで、配線１８６を、電池保持台１８５の裏面側（本体１１０の前側の面）へ通すことができる。
【００６２】
また、本実施形態にかかる構成では、電池ユニット１８０は、本体１１０の下方に配置されている。なお、図１に示すように、側壁１１１ａの高さをＨとすると、電池ユニット１８０（具体的には、電池保持台１８５）は、側壁１１１ａの下端からＨ／２の高さよりも下方に配置されていることが好ましい。これにより、炊飯器１００の底壁１１１ｂ側から電池ユニット１８０へよりアクセスし易くなる。そのため、電池交換を行う作業者は、底壁１１１ｂを上に向けた状態で炊飯器１００を載置し、底壁１１１ｂを取り外せば、電池ユニット１８０に取り付けられている電池１８１に容易に手をとどかせることができる。
【００６３】
そして、作業者は、電池１８１と接続されている配線１８６の端部を電池基板１８２のコネクタから取り外すことで、電池１８１および配線１８６を電池基板１８２から分離させることができる。これにより、作業者は、電池ユニット１８０から簡単に電池１８１を取り外すことができる。その後、別の電池１８１を電池ユニット１８０に取り付ける際には、電池１８１を電池保持台１８５の各爪部１８３ａ・１８３ｂ・１８３ｃの間に取り付け、電池１８１と接続されている配線１８６の端部を電池基板１８２のコネクタと接続させる。これにより、作業者は、電池ユニット１８０に簡単に電池１８１を取り付けることができる。
【００６４】
なお、図４および図５では、側壁１１１ａを取り外した状態で本体１１０を図示しているが、本実施形態にかかる構成によれば、底壁１１１ｂのみを取り外せば、電池１８１の交換を行うことが可能である。
【００６５】
以上のように、本実施形態にかかる炊飯器１００には、電池１８１を脱着可能に保持している電池保持台１８５が備えられている。そして、配線１８６を介して電池１８１と接続されている電池基板１８２は、電池１８１からやや離間した位置に配置されている。
【００６６】
このような構成とすることで、電池の交換を行う場合には、電池のみを取り外して、新しい電池に付け替えればよい。電池基板１８２の取り外しは不要となる。したがって、電池の交換作業をより容易に行うことのできる炊飯器１００が得られる。
【００６７】
（変形例）
上述の実施形態では、電池１８１に接続されている配線１８６の端部が、コネクタなどによって電池基板１８２と接続されるという構成を例に挙げて説明した。このような構成では、電池１８１に接続されている配線１８６も、電池１８１の交換時に電池１８１とともに交換される。しかし、電池と電池基板との接続方法はこれに限定されない。
【００６８】
別の実施形態では、電池保持台１８５に電池１８１用の接続端子が設けられている構成としてもよい。このような構成の場合には、電池保持台１８５の裏面側（本体１１０の前側の面）に電池基板１８２と電池用の接続端子とをつなぐ配線１８６が配置される。このような構成によれば、電池交換時に、配線を交換する必要がなくなるため、より交換作業が簡便になる。また、このような構成によれば、汎用品のボタン電池、乾電池などを電池として用いることが可能となる。
【００６９】
また、上述の実施形態では、炊飯器１００の本体１１０の下方に電池ユニット１８０を配置し、電池交換時には底壁１１１ｂを取り外して本体１１０の下面側から電池ユニット１８０へアクセスするという構成を例に挙げて説明した。しかし、電池ユニットの配置位置はこれに限定はされない。
【００７０】
電池ユニットは、熱源である誘導加熱コイルからある程度の距離（例えば、３．５ｍｍ以上）だけ離れた位置に配置されることが望ましい。電池ユニットは、制御回路基板１１９の電源となるため、制御回路基板１１９の近く（例えば、操作パネル１１７および基板支持部材１１１ｅなどで形成される空間内）に配置されてもよい。
【００７１】
また、上述の実施形態では、平板状の電池保持台１８５を、上下（鉛直）方向に沿って配置しているが、別の実施形態では、平板状の電池保持台１８５を水平方向に沿って配置してもよい。電池交換作業時に炊飯器の下面から電池にアクセスする構成の場合には、底壁１１１ｂに沿うように平板状の電池保持台１８５を配置してもよい。
【００７２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【００７３】
１００  ：炊飯器（圧力式炊飯器）
１１０  ：本体
１１１  ：筐体
１１１ａ：側壁（側面部材）
１１１ｂ：底壁（底部材）
１１１ｃ：肩部材
１１１ｄ：保護枠
１１３  ：誘導加熱コイル
１３０  ：内鍋
１４０  ：蓋体
１８０  ：電池ユニット
１８１  ：電池
１８２  ：電池基板
１８３ａ：第１の爪部（電池保持部）
１８３ｂ：第２の爪部（電池保持部）
１８３ｃ：第３の爪部（電池保持部）
１８４  ：空隙部
１８５  ：電池保持台（電池保持部）
１８６  ：配線
【図１】
2020192056.tif 000003
【図２】
2020192056.tif 000004
【図３】
2020192056.tif 000005
【図４】
2020192056.tif 000006
【図５】
2020192056.tif 000007
【図６】
2020192056.tif 000008
【図７】
2020192056.tif 000009